(57)【要約】【課題】餌魚の遊泳動作を、捕食対象魚の食性に適合する生きた餌魚の自然な遊泳動作のように見せることができて、釣果を向上させることができるルアーを提供すること。【解決手段】魚類を模したルアー本体１０の背部１２に、その背部１２に沿わせて餌魚４０を載置して、ルアー本体１０と餌魚４０を紐状片３０で緊縛するようにしている。ルアー本体１０の背部１２には、餌魚４０を横臥させるための上面開口凹条部１３を形成することができる。ルアー本体１０の背部１２には、釣り針２０を上方へ向けて突設し、餌魚４０の胴体には、釣り針２０が貫通されるようにすることもできる。この際、釣り針２０は、上面開口凹条部１３内を通して上方へ向けて突設することができる。【選択図】図９
2019134684.tif 000002
【特許請求の範囲】
【請求項１】
魚類を模したルアー本体の背部に、その背部に沿わせて餌魚を載置して、ルアー本体と餌魚を紐状片で緊縛するようにしたルアー。
【請求項２】
ルアー本体の背部には、餌魚を横臥させるための上面開口凹条部を形成した請求項１記載のルアー。
【請求項３】
ルアー本体の背部には、釣り針を上方へ向けて突設し、餌魚の胴体には、釣り針が貫通されるようにした請求項１又は２記載のルアー。
【請求項４】
釣り針は、上面開口凹条部内を通して上方へ向けて突設した請求項３記載のルアー。
【発明の詳細な説明】
【技術分野】
【０００１】
本発明は、釣果を向上させることができるルアーに関する。
【背景技術】
【０００２】
従来、テンヤ釣りは、テンヤ針に餌魚を取り付けて行われており、テンヤ針の一形態としては、特許文献１に開示されたものがある。この特許文献１では、テンヤ針の軸部に餌魚挟み枠を取り付けて、餌魚挟み枠を介してテンヤ針に餌魚を容易に取り付け・取り外しできるようにしている。
【先行技術文献】
【特許文献】
【０００３】
【特許文献１】実用新案登録第３１３９８８５号公報
【発明の概要】
【発明が解決しようとする課題】
【０００４】
しかしながら、上記したテンヤ釣りでは、特許文献１のテンヤ針に餌魚を、餌魚挟み枠を介して取り付け、この状態で釣り場のポイントにテンヤ針を投げ込み、釣り糸を引くことで餌魚を遊泳させるわけであるが、このテンヤ針では、餌魚の遊泳動作が、生きている餌魚の自然な遊泳動作のように見えないために、釣果があまりないという不具合がある。
【０００５】
そこで、本発明では、餌魚の遊泳動作を、捕食対象魚の食性に適合する生きた餌魚の自然な遊泳動作のように見せることができて、釣果を向上させることができるルアーを提供することを目的とする。
【課題を解決するための手段】
【０００６】
上記した目的を達成するために、本発明に係るルアーは、魚類を模したルアー本体の背部に、その背部に沿わせて餌魚を載置して、ルアー本体と餌魚を紐状片で緊縛するようにしている。ルアー本体の背部には、餌魚を横臥させるための上面開口凹条部を形成することができる。ルアー本体の背部には、釣り針を上方へ向けて突設し、餌魚の胴体には、釣り針が貫通されるようにすることもできる。この際、釣り針は、上面開口凹条部内を通して上方へ向けて突設することができる。
【発明の効果】
【０００７】
本発明によれば、餌魚の遊泳動作を、捕食対象魚の食性に適合する生きた餌魚の自然な遊泳動作に見せることができて、釣果を向上させることができるルアーを提供することができる。
【図面の簡単な説明】
【０００８】
【図１】本発明に係るルアー（紐状片以外）の左側面図である。
【図２】本発明に係るルアー（紐状片以外）の平面図である。
【図３】本発明に係るルアー（紐状片以外）の正面図である。
【図４】本発明に係るルアー（紐状片以外）の背面図である。
【図５】本発明に係るルアー（紐状片以外）の低面図である。
【図６】図２のＩ−Ｉ線断面図である。
【図７】図２のII−II線断面図である。
【図８】図２のIII−III線断面図である。
【図９】本発明に係るルアーの使用状態説明図である。
【発明を実施するための形態】
【０００９】
以下に、本発明の実施形態を、図面を参照にしながら説明する。図１〜図５に示すＡは、本実施形態に係るルアーである。このルアーＡは、フィッシング（釣）に使用されるものであり、図９に示すように、釣り糸Ｂの先端に連結して、この状態で釣り場のポイントにルアーＡを投げ込み、所望の深度において釣り糸Ｂを引くことで、水中でのルアーＡが生きた餌魚のような遊泳動作を採るようにしている。
【００１０】
ルアーＡは、図１〜図５に示すように、ルアー本体１０と、釣り針２０と、紐状片３０と、を具備しており、図９に示すように、紐状片３０によりルアー本体１０にキビナゴ等の餌魚４０を緊縛して遊泳させるようにしている。そうすることで、生きた餌魚のような遊泳動作を採るルアー本体１０に餌魚４０が緊縛されたルアーＡを、捕食対象魚が好んで捕食するようにしている。餌魚４０としては、経済性や取扱性からして、生きている生餌よりも、死んでいる生餌が好ましい。捕食対象魚としては、餌魚４０を好んで捕食する魚（いわゆるフィッシュイーター）を対象とすることができ、例えば、スズキ、ブリ、ハタである。なお、本実施形態では、図１（ルアー本体１の左側面図）に示すルアー本体１の左側端部が頭部、右側端部が尾部である。ルアー本体１の左側部を前部、右側部を後部ということもある。また、図２（ルアー本体１の平面図）に示すルアー本体１の下側部を左側部、上側部を右側部ということもある。
【００１１】
ルアー本体１０は、釣り場のポイントに投げ込まれて、釣り糸Ｂを引かれた際に、捕食対象魚の食性に適合する生きた餌魚の自然な遊泳動作を採るように形成している。すなわち、ルアー本体１０は、合成樹脂性素材により固く成形した、いわゆるハードルアーであり、魚類を模した魚類形状様で、かつ、前後方向に延伸する棒状に形成して、腹部１１と背部１２とを有している。腹部１１は、下方へ湾曲状に膨出させた流線形状に形成している。背部１２は、餌魚４０を安定状態に横臥させて載置することができる餌魚載置面を有している。
【００１２】
餌魚載置面の最良の形態として、本実施形態の背部１２には、上面が開口する上面開口凹条部１３を形成し、上面開口凹条部１３の周縁部を水平な平坦面に形成しており、上面開口凹条部１３の内面を餌魚載置面となしている。なお、餌魚４０を安定状態に横臥させて載置することができれば、背部１２に上面開口凹条部１３を設けることなく、単に背部１２を、上方へ突状の湾曲面、下方へ突状の湾曲面、又は、平坦面等に形成することもできる。つまり、背部１２の形状は、餌魚４０を安定載置することができる餌魚載置面を有するものであればよく、本実施形態の背部１２の形状に限られるものではない。
【００１３】
上面開口凹条部１３は、ルアー本体１０の背部１２に沿わせて前後方向に延伸させて形成して、餌魚４０を安定させて横臥させることができるようにしている。すなわち、上面開口凹条部１３は、図６の側断面図に示すように、前後方向に延伸する緩やかな凹状湾曲面に形成するとともに、図７及び図８の正面断面形状に示すように、背部１２の左右幅（短尺幅）よりもやや幅狭の緩やかな凹状湾曲面に形成している。そして、上面開口凹条部１３は、横臥させた餌魚４０の少なくとも一側片身（上側片身）が上方へ露出する深さで、かつ、前後方向に延伸する皿状（下方へ湾曲した凹み状）に形成している。換言すると、上面開口凹条部１３は、横臥させた餌魚４０の他側片身（下側片身）を安定状態に載置することができる深さに形成している。上面開口凹条部１３を上記したような形状に形成することで、捕食対象魚が上面開口凹条部１３から露出した餌魚４０の一側片身（上側片身）に接触し易くするとともに、紐状片３０によりルアー本体１０に餌魚４０を緊縛し易くしている。
【００１４】
腹部１１の上端縁部の前・後・左・右側部には、それぞれ側面と上面が開口する紐状片係合凹部１５〜１８を切り欠き状に形成している。これらの紐状片係合凹部１５〜１８には、後述するようにルアー本体１０に餌魚４０を緊縛した紐状片３０の中途部を係合させて、緊縛状態での紐状片３０の位置ずれを防止して、緊縛状態を良好に確保できるようにしている。
【００１５】
ルアー本体１０の背部１２の中途部には、釣り針２０を突設しており、釣り針２０は、中途部を上面開口凹条部１３の中途部を通して上方へ突出させるとともに、前方へ向けて湾曲させて、先端を前方へ向けて指向させている。釣り針２０の先端部は、図６及び図９に示すように、上面開口凹条部１３に載置した餌魚４０から上方へ貫通状態に突出して露出するように形成している。このように形成した釣り針２０は、捕食対象魚の上顎等に係止するという本来の機能に加えて、餌魚４０の胴体に貫通させて、背部１２への餌魚４０の載置位置を固定するという機能も有している。また、釣り針２０は、ルアー本体１０の背部１２から上方へ向けて突設しているため、深釣をした際にも、釣り針２０が海底や河川底や湖底の石や岩等に衝突等して損傷等されるという不具合の発生を回避することができる。
【００１６】
紐状片３０は、釣り針２０の針先部２２を貫通させた状態で上面開口凹条部１３内に横臥させた餌魚４０を、ルアー本体１０に緊縛するものである。紐状片３０は、弾性素材により伸縮自在の細幅帯状に形成するとともに、所定の長さで両端が接続されたリング状に形成している。紐状片３０としては、例えば、合成輪ゴムであるウレタン製輪ゴムを採用することができる。
【００１７】
次に、ルアー本体１０の内部構造と釣り針２０の形状及び固定構造等について、図６〜図８を参照しながらより具体的説明する。すなわち、ルアー本体１０の中途部には、船型に形成した鉛製の重錘５０を埋設しており、重錘５０には、釣り針２０を固定している。重錘５０の重さ、形状、埋設位置等は、遊泳動作するルアー本体１０の安定性や捕食対象魚に応じて適宜設定することができる。釣り針２０は、前後方向に直状に延伸する軸部２１と、軸部２１の基端部（後端部）から後上方へ湾曲状に延伸させるとともに、前方へ湾曲状に延伸させて折り返し状に形成した針先部２２と、を針金状部材により一体成形している。軸部２１は、ルアー本体１０に埋設しており、軸部２１の後半部は、重錘５０に埋設している。針先部２２は、基端部を重錘５０に埋設するとともに、残部を重錘５０、さらには、ルアー本体１０から上面開口凹条部１３の中途部を通して上方へ起立状態に露出（突出）させている。針先部２２は、その針先を前方へ指向させて、その指向方向と軸部２１の軸線とが仮想同一垂直平面内において平行状態となるようにしている。
【００１８】
このように、釣り針２０は、ルアー本体１０に埋設された重錘５０に中途部が埋設されて、重錘５０に固定されている。なお、重錘５０を設けることなく、ルアー本体１０の比重を所望の大きさに設定することで、重錘機能を持たせることもできるが、この場合には、釣り針２０の軸部２１をルアー本体１０に固定させる。
【００１９】
軸部２１の先端部には、釣糸連結アイ２３をリング状に一体成形しており、釣糸連結アイ２３は、ルアー本体１０の頭部に突設している。釣糸連結アイ２３には、図９に示すように、着脱連結具Ｃを介して、釣り糸Ｂの先端を着脱自在に連結するようにしている。重錘５０の中途下部には、ルアー本体１０を介して、補助具連結アイ６０の基部を埋設して、補助具連結アイ６０をルアー本体１０の腹部１１から垂下状態に固定している。補助具連結アイ６０は、捕食対象魚の種類等に応じて、ブレードや掛け針等の補助具を取り付けるためのもの（スイベル等）である。
【００２０】
次に、紐状片３０により餌魚４０をルアー本体１０に緊縛する作業（仕掛け）について、図６及び図９を参照しながら説明する。
まず、餌魚４０の胴体の中途部に釣り針２０の針先部２２を突き刺して貫通させるとともに、針先部２２の基端部まで餌魚４０を移動させる。
【００２１】
続いて、餌魚４０を、針先部２２が貫通された状態で上面開口凹条部１３内に一側片身が上方へ向くように横臥させる。このようにして、上面開口凹条部１３内で横臥している餌魚４０は、少なくとも上方へ向いている一側片身（上側方の片身）が露出されているため、捕食対象魚がルアー本体１０と一緒に捕食し易い姿勢となっている。この際、上面開口凹条部１３内で横臥している餌魚４０は、釣り針２０により上面開口凹条部１３内での位置が固定されている。
【００２２】
さらに続いて、リング状の紐状片３０を５本の指で拡径させて、拡径させたリング状の紐状片３０中に餌魚４０が横臥しているルアー本体１０の前部を挿通する。餌魚４の胴部の前部にリング状の紐状片３０の一側部を係止し、前左右側部の紐状片係合凹部１５,１６に紐状片３０の中途部を係合させるとともに、紐状片３０を引っ張りながらその中途をねじって、腹部１１の前部にリング状の紐状片３０の中途部を掛け回す。そして、残余のリング状の紐状片３０中に餌魚４が横臥しているルアー本体１０の中途部を挿通し、紐状片３０を引っ張りながらその中途をねじって、餌魚４の胴部の中途部にリング状の紐状片３０の中途部を係止するとともに、残余のリング状の紐状片３０中に餌魚４が横臥しているルアー本体１０の後部を挿通する。さらに、腹部１１に残余のリング状の紐状片３０の他側部を掛け回すとともに、後左右側部の紐状片係合凹部１７,１８に紐状片３０の中途部を係合させ、リング状の紐状片３０から指を離して、餌魚４の胴部の後部にリング状の紐状片３０の他側部を係止する。そうすると、引っ張られていた弾性素材性の紐状片３０が復元する方向に収縮して、紐状片３０により餌魚４０とルアー本体１０が一体的に緊縛される。つまり、紐状片３０によりルアー本体１０に餌魚４０が背負われた状態で緊縛される。
【００２３】
このようにして、餌魚４０をルアー本体１０に容易に緊縛して取り付けることができる。しかも、ルアー本体１０が水中で遊泳動作した際にも、緊縛された餌魚４０がルアー本体１０から脱落することなく、背負われた状態を保持したまま、ルアー本体１０と一体となって遊泳動作させることができる。なお、上記した取り付け手順の逆手順をたどることで、餌魚４０をルアー本体１０から容易に取り外すことができる。
【００２４】
以上のように構成した本実施形態のルアーＡでは、捕食対象魚の食性に適合する生きた餌魚のような遊泳動作をするように形成されたルアー本体１０の遊泳動作と、ルアー本体１０に背負われて一体となって遊泳動作する餌魚４０が発する匂い等と、に捕食対象魚が誘引されて、捕食対象魚がルアーＡを捕食する頻度が高くなる。いわゆる食いつきが良くなる。換言すると、捕食対象魚がルアーＡを捕食しない頻度が低くなる。いわゆる食い渋りが減少する。その結果、ルアーＡによる釣果を向上させることができる。
【００２５】
この際、ルアー本体１０に背負われた餌魚４０は、背部１２の餌魚載置面上に横臥状態に載置されて、その一側片身（上側片身）が露出された状態となっているため、ルアーＡに上方から接近する捕食対象魚によって餌魚４０が齧り取られるとしても、その齧り取られる量が僅かな量に制限される。そのため、僅かに餌魚４０が齧り取られたとしても、餌魚４０の横臥状態に載置された姿勢は保持されたままで、その匂いを発する等の機能も保持される。
【００２６】
その点、特許文献１に開示されたテンヤ針では、餌魚挟み枠を介して餌魚の大部分が露出された状態で取り付けられているために、その胴体の大半が捕食対象魚によって齧り取られることがある上に、残りの胴体もテンヤ針から脱落してしまい、餌魚としての機能を果たさなくなるという不具合がある。
【００２７】
なお、生餌である餌魚４０に代えて、市販のソフトルアーを採用することもできる。しかし、この場合、ソフトルアーは、匂いを発しないので釣果が生餌に劣る。
【符号の説明】
【００２８】
Ａ  ルアー
Ｂ  釣り糸
１０  ルアー本体
２０  釣り針
３０  紐状片
４０  餌魚
５０  重錘
６０  補助具連結アイ
【図１】
2019134684.tif 000003
【図２】
2019134684.tif 000004
【図３】
2019134684.tif 000005
【図４】
2019134684.tif 000006
【図５】
2019134684.tif 000007
【図６】
2019134684.tif 000008
【図７】
2019134684.tif 000009
【図８】
2019134684.tif 000010
【図９】
2019134684.tif 000011